(57)【要約】【課題】車いす利用者が車いすに乗った状態で入室可能であり、車いす利用者が浴槽や大便器等を利用している姿を見られ恥ずかしい思いをしてしまう可能性を抑制できるユニットバスルームを備えたホテルルームを提供する。【解決手段】開き戸の幅、入室ドアの幅、廊下の幅は、車いすが通過可能な大きさであり、開き戸が閉じている状態において、軸部は、開き戸先端部より入室ドアに近い位置に配置されたことで、開き戸が開く際には、開き戸が入室ドアが設置された壁面へ近づくように回動する。【選択図】図３
2016151097.tif 000002
【特許請求の範囲】
【請求項１】
浴槽と、大便器と、使用者が入室するための開き戸と、を有するユニットバスルームを備えたホテルルームであって、
前記ユニットバスルームは、使用者が前記ホテルルームに入室するための入室ドアとベット等が設置される居室空間とを繋ぐ廊下の側方に設置されており、
前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、
前記開き戸の幅、前記入室ドアの幅、前記廊下の幅は、車いすが通過可能な大きさであり、
前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動することを特徴とするユニットバスルームを備えたホテルルーム。
【請求項２】
前記開き戸が開く角度を所定量に規制可能な開き角度規制手段をさらに有することを特徴とする請求項１に記載のユニットバスルームを備えたホテルルーム。
【請求項３】
前記開き戸は、前記開き戸が前記廊下を遮っている際に、車いすが前記居室から前記入室ドアへ向かって前記廊下を通過可能となるように、さらに開くことができ、
前記軸部と前記入室ドアが設置された壁面との間は、前記開き戸が開いた際にも前記開き戸と前記入室ドアが設置された壁面とが当接することがないように離れており、
前記浴槽は、前記軸部より前記入室ドアが設置された壁面に近い位置に配置されたことを特徴とする請求項１に記載のユニットバスルームを備えたホテルルーム。
【請求項４】
前記大便器は、前記ユニットバスルームと前記廊下とを隔てる壁面と向かい合うように、前記浴槽より前記入室ドアから離れた位置に配置され、
前記浴槽と前記大便器との間の幅は、車いすが進入可能な大きさであり、
前記開き戸は、前記開き戸を開閉させるための操作部を有しており、
前記開き戸が閉じている状態において、前記開き戸先端部は、前記大便器の正面又は前記大便器の正面より前記浴槽側に配置され、前記開き戸の少なくとも一部は、前記浴槽と前記大便器との間の空間と対向していることを特徴とする請求項１乃至３の何れか１つに記載のユニットバスルームを備えたホテルルーム。  
【請求項５】
前記ユニットバスルーム側に設けられた前記操作部の少なくとも一部分は、前記大便器の中心線に対して浴槽側に設けられたことを特徴とする請求項４に記載のユニットバスルームを備えたホテルルーム。  
【発明の詳細な説明】
【技術分野】
【０００１】
本発明の態様は、浴槽及び大便器を有するユニットバスルームを備えたホテルルームに関する。
【背景技術】
【０００２】
従来、浴槽及び大便器を備えたユニットバスルームが知られている。
【０００３】
特許文献１では、浴槽と大便器と洗面台とを備えたユニットバスルームであって、浴槽と大便器の間に洗面台が、それぞれ並んで配置されており、ユニットバスルームに入室するための扉は洗面台及び大便器の前方に配置されている壁面に設けられており、ユニットバスルームの外側へ向かって開閉する開き戸であるものについて記載されている。
【先行技術文献】
【特許文献】
【０００４】
【特許文献１】特開２０１１−１４７５２６号公報
【発明の概要】
【発明が解決しようとする課題】
【０００５】
特許文献１に記載されたユニットバスルームにおいては、健常者が使用することが前提のものであって、車いす利用者が使用可能となるような配慮はされていない。即ち、開き戸の幅の大きさによっては、車いす利用者が車いすに乗った状態でユニットバスルームに入室できないといった問題がある。
【０００６】
この問題を解決するためには、車いす利用者が車いすに乗った状態で入室できるように、開き戸の幅の大きさを大きくすれば良い。しかし、このように開き戸の幅の大きさを大きくしたユニットバスルームをホテルルームに設置し、車いす利用者が車いすに乗った状態でユニットバスルームに入室可能とした場合においても、新たな問題が発生する。
車いす利用者がユニットバスルームに入室する際には、車いすをユニットバスルームへ入れるために大きく開き戸を開く必要がある。しかし、ユニットバスルームに入室した車いす利用者が、狭いユニットバスルーム内で車いすを大きく方向転換することは難しいことから、車いす利用者にとって、後方に存在し大きく開いた開き戸を閉じることは困難である。
なお、ユニットバスルームへ入室するための扉を開き戸ではなく、例えば引き戸にすれば、扉の閉めやすさは幾分か改善されるものの、ホテルルームにおいては、ユニットバスルームへ入室するための扉は開き戸であることが一般的であり、この開き戸を引き戸にするためには、大掛かりな改修工事が必要となってしまう。
以上のことより、ホテルルームにおいて一般的な、ユニットバスルームへ入室するための扉が開き戸であるタイプの部屋において、上述した通り、車いす利用者にとって、後方に存在し大きく開いた開き戸を閉じることは困難である。従って、車いす利用者は、通常、開き戸を開いたまま、ユニットバスルームを利用する。
また、ユニットバスルームが設置されたホテルルームにおいては、ベット等が設置される居室空間を有効に確保するために、ユニットバスルームの開き戸をホテルルーム内における入室ドアと居室空間とを繋ぐ廊下に設置されることが一般的である。しかし、このように、開き戸が廊下に設置されている場合において、車いす利用者がユニットバスルームを利用中であって開き戸が開いているときに、ホテルのルームサービスや清掃員がホテルルームに入室し廊下を通りすぎた際に、ユニットバスルーム内において車いす利用者が浴槽や大便器等を利用している姿を見られることがあり、車いす利用者が非常に恥ずかしい思いをしてしまうという問題がある。
出願人は、このような、車いす利用者がホテルに宿泊する際の問題を解消したいという強い想いをもって、その解決案を見出したものである。
【０００７】
即ち、本発明はかかる課題の認識に基づいてなされたものであり、車いす利用者が車いすに乗った状態で入室可能であり、車いす利用者が浴槽や大便器等を利用している姿を見られ恥ずかしい思いをしてしまう可能性を抑制できるユニットバスルームを備えたホテルルームを提供することを目的とする。
【課題を解決するための手段】
【０００８】
第１の発明は、浴槽と、大便器と、使用者が入室するための開き戸と、を有するユニットバスルームを備えたホテルルームであって、前記ユニットバスルームは、使用者が前記ホテルルームに入室するための入室ドアとベット等が設置される居室空間とを繋ぐ廊下の側方に設置されており、前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、前記開き戸の幅、前記入室ドアの幅、前記廊下の幅は、車いすが通過可能な大きさであり、前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動することを特徴とするユニットバスルームを備えたホテルルームである。
このユニットバスルームを備えたホテルルームによれば、開き戸の幅、入室ドアの幅、廊下の幅は、車いすが通過可能な大きさであるため、車いす利用者が車いすに乗った状態でホテルルーム及びユニットバスルームに入室可能であり、且つ、開き戸が閉じている状態において、開き戸の軸部は、開き戸先端部よりホテルルームの入室ドアに近い位置に配置されたことで、開き戸が開いた際には、開き戸が入室ドアが設置された壁面へ近づくように回動するため、車いす利用者がユニットバスルームを利用中であって開き戸が開いてしまっている場合にホテルのルームサービスや清掃員がホテルルームに入室した際にも、廊下を通りすぎるときには、ユニットバスルームの入口前を通る前に、通行の妨げとなっている開き戸を閉める作業が必要になる。したがって、ルームサービスや清掃員は、自然と開き戸を閉めてからユニットバスルームの入口前を通ることとなるため、ユニットバスルーム内において車いす利用者が浴槽や大便器等を利用している姿を見られることがない。よって、ユニットバスルーム内において車いす利用者が浴槽や大便器等を利用している姿を見られることで車いす利用者が非常に恥ずかしい思いをしてしまう可能性を抑制できる。
【０００９】
第２の発明は、第１の発明において、前記開き戸が開く角度を所定量に規制可能な開き角度規制手段をさらに有することを特徴とするユニットバスルームを備えたホテルルームである。
このユニットバスルームを備えたホテルルームによれば、ユニットバスルームは、開き戸が開く角度を所定量に規制可能な開き角度規制手段を有するため、車いす利用者がユニットバスルームを利用する際に、開き戸をホテルのルームサービスや清掃員が廊下を通りすぎるときにおいてユニットバスルームの入口前を通る際の通行の妨げとなる所定の位置に配置することができるため、より確実に、ユニットバスルーム内において車いす利用者が浴槽や大便器等を利用している姿を見られることで車いす利用者が非常に恥ずかしい思いをしてしまう可能性を抑制できる。
【００１０】
第３の発明は、第１の発明において、前記開き戸は、前記開き戸が前記廊下を遮っている際に、車いすが前記居室から前記入室ドアへ向かって前記廊下を通過可能となるように、さらに開くことができ、前記軸部と前記入室ドアが設置された壁面との間は、前記開き戸が開いた際にも前記開き戸と前記入室ドアが設置された壁面とが当接することがないように離れており、前記浴槽は、前記軸部より前記入室ドアが設置された壁面に近い位置に配置されたことを特徴とするユニットバスルームを備えたホテルルームである。
車いす利用者が居室空間からホテルルームの入室ドアへ向かう際に、開き戸が開いていた場合には、車いす利用者は開き戸を閉めるために、開き戸を引く動作を行わなければならず、且つ、自分自身が開き戸にぶつからないように、開き戸を引きながら後退する必要もあったが、このユニットバスルームを備えたホテルルームによれば、開き戸は、開き戸が廊下を遮っている際に、車いすが居室から入室ドアへ向かって廊下を通過可能となるように、さらに開くことができる。このため、車いす利用者が居室空間からホテルルームの入室ドアへ向かう際に、開き戸が開いていた場合にも、車いす利用者は開き戸を開く動作、即ち開き戸を押す動作によって、車いすを通過可能とすることができ、容易にホテルルームの入室ドアへ向かうことができる。
また、軸部と入室ドアが設置された壁面との間は、開き戸と入室ドアが設置された壁面とが当接することがないように離れているため、入室ドアが設置された壁面が開き戸の開く角度を制限することがなく、さらに容易に車いすを通過可能とすることができ、且つ、浴槽は、軸部より入室ドアが設置された壁面に近い位置に配置されているため、狭いホテルルームであった場合でも、車いすが通過するためのユニットバスルームの入口の幅を有効に取りつつ、浴槽を配置させるための空間を有効に利用しながら軸部と入室ドアが設置された壁面との間の距離を取ることができる。浴槽は、ユニットバスルームにおいて、大きく場所を取り、また、浴槽の設置壁面と開き戸の軸部とは位置を重ねることができないため、このように軸部と入室ドアが設置された壁面との間の距離を取りつつ、浴槽を配置させるための空間を有効に利用することは、非常に大きな効果といえる。
【００１１】
第４の発明は、第１乃至３の何れか１つの発明において、前記大便器は、前記ユニットバスルームと前記廊下とを隔てる壁面と向かい合うように、前記浴槽より前記入室ドアから離れた位置に配置され、前記浴槽と前記大便器との間の幅は、車いすが進入可能な大きさであり、前記開き戸は、前記開き戸を開閉させるための操作部を有しており、前記開き戸が閉じている状態において、前記開き戸先端部は、前記大便器の正面又は前記大便器の正面より前記浴槽側に配置され、前記開き戸の少なくとも一部は、前記浴槽と前記大便器との間の空間と対向していることを特徴とするユニットバスルームを備えたホテルルームである。
このユニットバスルームを備えたホテルルームによれば、浴槽と大便器との間の幅は車いすが進入可能な大きさであり、開き戸が閉じている状態において、開き戸先端部は、大便器の正面又は大便器の正面より浴槽側に配置され、開き戸の少なくとも一部は、浴槽と大便器との間の空間と対向しているため、狭いユニットバスルームであった場合でも、車いす利用者は開き戸が配置されたユニットバスルームの入口から容易に浴槽と大便器との間にアプローチすることができ、その後、車いすから浴槽又は大便器に移動することができる。よって、狭いユニットバスルームであった場合でも、容易に浴槽と大便器との間にアプローチすることができることで、容易に浴槽又は大便器の両方に移動可能とすることができる。
また、開き戸は開き戸を開閉させるための操作部を有しているため、操作部も大便器の正面又は大便器の正面より浴槽側に配置されることとなり、浴槽と大便器との間に進入した車いす利用者は、開き戸が閉じられた際にも、操作部を操作することによって、開き戸を開閉させることができる。
【００１２】
第５の発明は、第４の発明において、前記開き戸においてユニットバスルーム側に設けられた、前記開き戸を開閉させるための操作部の少なくとも一部分は、前記大便器の中心線に対して浴槽側に設けられたことを特徴とするユニットバスルームを備えたホテルルームである。
このユニットバスルームを備えたホテルルームによれば、車いす利用者が浴槽と大便器との間に進入している際に、ホテルのルームサービスや清掃員がホテルルームに入室し、開き戸を閉めてしまった場合にも、開き戸においてユニットバスルーム側に設けられた、開き戸を開閉させるための操作部の少なくとも一部分は、大便器の中心線に対して浴槽側に設けられているため、浴槽と大便器との間に進入した車いす利用者は、遠くに設けられた操作部を操作するために手を大きく伸ばしたりすることで身体の重心を大きく動かす必要がなく、必要に応じてユニットバスルームと廊下とを隔てる壁面に向かう方向へバックした後、上体を動かすだけで容易に操作部を操作することができ、開き戸を開いてユニットバスルームから退出することができる。このように、身体の重心を大きく動かす必要がないことは、身体機能が低下している車いす利用者によって、非常にユニットバスルームの使い勝手が良く、また、手を伸ばすことで重心が変化した際に、車いす利用者が意図せずに車いすが移動してしまったり、車いすが転倒してしまったりすることを抑制できる。よって、車いす利用者によって、大きな効果であるといえる。
【発明の効果】
【００１３】
本発明の態様によれば、車いす利用者が車いすに乗った状態で入室可能であり、車いす利用者が浴槽や大便器等を利用している姿を見られ恥ずかしい思いをしてしまう可能性を抑制できるユニットバスルームを備えたホテルルームが提供される。
【図面の簡単な説明】
【００１４】
【図１】本発明の一実施形態に係るユニットバスルームを備えたホテルルームを示す模式的平面図である。
【図２】図１のユニットバスルームを備えたホテルルームにおいて、車いす利用者がユニットバスに入室した状態を示す模式的平面図である。
【図３】図１のユニットバスルームを備えたホテルルームにおいて、ユニットバスルームに車いす利用者が入室している際に第３者がホテルルームに入室してきた状態を示す模式的平面図である。
【図４】図１のユニットバスルームを備えたホテルルームにおいて、ユニットバスルームに車いす利用者が入室している際に第３者が廊下を通過した状態を示す模式的平面図である。
【図５】図１のユニットバスルームを備えたホテルルームにおいて、ユニットバスルームに車いす利用者が入室している際に開き戸が閉じられた状態を示す模式的平面図である。
【図６】図１のユニットバスルームを備えたホテルルームにおいて、ユニットバスルームから車いす利用者が退室している状態を示す模式的平面図である。
【図７】図１のユニットバスルームを備えたホテルルームにおいて、車いす利用者が、居室空間から入室ドアへ移動しようとしている状態を示す模式的平面図である。
【図８】図１のユニットバスルームを備えたホテルルームにおいて、車いす利用者が、居室空間から入室ドアへ移動している状態を示す模式的平面図である。
【図９】本発明の他の実施形態に係るユニットバスルームを備えたホテルルームを示す模式的平面図である。
【発明を実施するための形態】
【００１５】
以下、本発明の実施の形態について図面を参照しつつ説明する。なお、各図面中、同様の構成要素には同一の符号を付して詳細な説明は適宜省略する。  
【００１６】
図１は、本発明の一実施形態に係るユニットバスルームを備えたホテルルームを示す模式的平面図である。
図２は、図１のユニットバスルームを備えたホテルルームにおいて、車いす利用者がユニットバスルームに入室した状態を示す模式的平面図である。
図３は、図１のユニットバスルームを備えたホテルルームにおいて、ユニットバスルームに車いす利用者が入室している際に第３者がホテルルームに入室してきた状態を示す模式的平面図である。
図４は、図１のユニットバスルームを備えたホテルルームにおいて、ユニットバスルームに車いす利用者が入室している際に第３者が廊下を通過した状態を示す模式的平面図である。
図１〜４を用いて、本発明の一実施形態におけるユニットバスルーム２００を備えたホテルルーム１００について説明する。
【００１７】
図１及び２に示すように、宿泊施設であるホテルの一室であるホテルルーム１００は、ホテルルーム１００に入室するための入室ドア１０１と、例えばベット１０２が設置された居室空間１０４と、入室ドア１０１と居室空間１０４とを繋ぐ廊下１０６と、ユニットバスルーム２００と、を備えている。図１に示すように、居室空間１０４及び廊下１０６は、上面視において、略Ｌ字状になるように配置されている。ユニットバスルーム２００は、ホテルルーム１００において、居室空間１０４及び廊下１０６を除いた空間に配置される。このユニットバスルーム２００は、廊下１０６の側方に設置されている。
【００１８】
入室ドア１０１は、ホテルルーム１００の入口壁面１０５に設けられており、例えば、ホテルルーム１００に対して内開きに開閉する開き戸である。この入室ドア１０１の横幅は、車いすが通過可能な大きさである。また、廊下１０６の幅も、車いすが通過可能な大きさである。
なお、本発明における「車いすが通過可能な大きさ」とは、例えば６００ミリメートル（ｍｍ）以上の大きさと定義する。日本工業規格（Japanese Industrial Standards）、即ちＪＩＳ規格では、手動車いす及び電動車いすの横幅は７００ｍｍと比較的大きなサイズで定められている。また、脊髄損傷や脳性麻痺など恒常的に車いすを利用する車いす利用者は、横幅が６００ｍｍ程度と小回りが効く使い勝手の良い小さな車いすを特注にて購入、利用している場合が殆どである。これらのことから、本発明における「車いすが通過可能な大きさ」を例えば６００ｍｍ以上の大きさと定義した。
【００１９】
ユニットバスルーム２００は、例えば陶器製の床置き式である大便器１と、トイレットペーパーが保持される例えば樹脂製の紙巻き器２と、例えば陶器製の洗面器４と、例えば樹脂製の浴槽６と、ユニットバスルーム２００に入室するための開き戸８と、を有している。大便器１は、浴槽６より入室ドア１０１から離れた位置に配置されている。大便器１と浴槽６との間に、洗面器４は配置されている。開き戸８の横幅は、車いすが通過可能な大きさである。即ち、この開き戸８の横幅は、例えば６００ｍｍ以上の大きさである。
【００２０】
ユニットバスルーム２００の壁面は、廊下１０６側に面する第１縦壁面１０と、第１縦壁面１０と向かい合う壁面である第２縦壁面１２と、居室空間１０４側に面する第３縦壁面１４と、第３縦壁面１４と向かい合う壁面である第４縦壁面１６と、によって構成されている。開き戸８はユニットバスルーム２００と廊下１０６とを隔てる壁面、即ち第１縦壁面１０に設置されており、車いす利用者は開き戸８を開くことにより廊下１０６からユニットバスルーム２００へ入室できる。
【００２１】
開き戸８は、開き戸８の一端側に設けられた開き戸８が開閉する際の軸となる例えばヒンジ機構で構成された軸部１８と、開き戸８の他端側に設けられた開き戸先端部２０と、ユニットバスルーム２００側から開き戸８を開閉させるための第１ドアノブ（操作部）２２と、廊下１０６側から開き戸８を開閉させるための第２ドアノブ（操作部）２４と、を有する。この開き戸８は、軸部１８を軸に、ユニットバスルーム２００に対して外開きに、即ち廊下１０６側に開閉する。この軸部１８は、開き戸８が閉じている状態において、開き戸先端部２０より入室ドア１０１に近い位置に配置されている。即ち、開き戸８は、廊下１０６側において、開き戸先端部２０が入室ドア１０１及び入口壁面１０５へ近づくように開くこととなる。なお、軸部１８とユニットバスルーム２００に形成された開き戸８を収納するドア枠（図示せず）との間には、例えば静止摩擦力が発生していることから、開き戸８は、外部から力が掛かっていない状態では、この静止摩擦力でもってその場から動かないものである。
【００２２】
このように開き戸８を開いた状態で、車いす利用者は、居室空間１０４側から廊下１０６へ進入し、ユニットバスルーム２００へ入室する。
【００２３】
なお、開き戸８が閉じている状態において、開き戸先端部２０は、大便器１の正面に配置されている。軸部１８は、浴槽６より入室ドア１０１から離れた位置に配置されている。
【００２４】
ユニットバスルーム２００において、大便器１及び洗面器４は、廊下１０６側に面する第１縦壁面１０と向かい合うように配置されている。このような配置とすることによって、開き戸８を開くことにより廊下１０６からユニットバスルーム２００の入口へ進入した車いす利用者は、大きく方向転換することなく、そのまま直進、もしくは洗面器４方向へ若干角度を変えて進むことで、大便器１と浴槽６との間へ移動でき、大便器１、浴槽６、及び、洗面器４を利用できる位置に到達することができる。大便器１と浴槽６との間の距離は、車いすが進入可能な大きさであり、この「車いすが進入可能な大きさ」は、車いすに乗った車いす利用者の少なくとも脚部部分が進入できるサイズであれば良く、例えば５５０ｍｍ以上の大きさと定義する。
なお、車いす利用者が大便器１を利用する際には、図２に示すように、まず車いすを大便器１の側面に横付けする。その後、洗面器４や大便器１を手で支持しながら、大便器１へ身体を移動する。また、車いす利用者が浴槽６を利用する際には、まず車いすを浴槽６の側面に横付けする。その後、洗面器４や浴槽６のリム部分を手で支持しながら、浴槽６へ身体を移動する。
【００２５】
本発明の一実施形態において、開き戸８は、第３縦壁面１４より、浴槽６に近い位置に配置されている。このような配置にすることによって、ユニットバスルーム２００が狭いユニットバスルームであっても、ユニットバスルーム２００の入口からユニットバスルーム２００へ進入した車いす利用者は、よりスムーズに大便器１と浴槽６との間へ移動でき、大便器１、浴槽６、及び、洗面器４を利用できる位置に到達することができる。よって、車いす利用者にとって、大便器１と浴槽６との間へのアプローチ性が増す。
【００２６】
車いす利用者がユニットバスルーム２００に入室する際には、車いすをユニットバスルーム２００へ入れるために大きく開き戸８を開く必要があることから、車いす利用者が自身の後方に存在するユニットバスルーム２００の開き戸８を閉じることは困難である。また、そもそもユニットバスルーム２００に入室した車いす利用者にとって、狭いユニットバスルーム２００内で車いすを大きく方向転換することは難しい。さらに、大便器１や浴槽６へ身体を移した後では、第１縦壁面１０に設置された開き戸８の第１ドアノブ２２を操作し、開き戸８を閉じることはより難しい。従って、車いす利用者は、通常、開き戸８を開いたままユニットバスルーム２００を利用する。
このとき、図３に示すように、ホテルのルームサービスや清掃者などの第三者Ａがホテルルーム１００に入室した際は、開き放しとなった開き戸８によってユニットバスルーム２００の内部を隠蔽されることとなる。さらに、図４に示すように、この第三者Ａが居室空間１０４へ進入するために廊下１０６を通過する際には、通過の邪魔となる開き放しとなった開き戸８を自然と閉める動作を行うこととなる。したがって、第三者Ａが廊下１０６を通過する際に、ユニットバスルーム２００内において車いす利用者が浴槽６や大便器１等を利用している姿を見られることがなく、車いす利用者が非常に恥ずかしい思いをしてしまう可能性を抑制できる。
【００２７】
図５は、図１のユニットバスルームを備えたホテルルームにおいて、ユニットバスルームに車いす利用者が入室している際に開き戸が閉じられた状態を示す模式的平面図である。
図６は、図１のユニットバスルームを備えたホテルルームにおいて、ユニットバスルームから車いす利用者が退室している状態を示す模式的平面図である。
図７は、図１のユニットバスルームを備えたホテルルームにおいて、車いす利用者が、居室空間から入室ドアへ移動しようとしている状態を示す模式的平面図である。
図８は、図１のユニットバスルームを備えたホテルルームにおいて、車いす利用者が、居室空間から入室ドアへ移動している状態を示す模式的平面図である。
図５〜８を用いて、本発明の一実施形態におけるユニットバスルーム２００を備えたホテルルーム１００のその他の特徴について説明する。
【００２８】
図５及び６に示すように、例えば第三者Ａが廊下１０６を通過した際などに、車いす利用者がユニットバスルーム２００に入室している最中において開き戸８が閉じてしまったときでも、ユニットバスルーム２００側から開き戸８を開閉させるための第１ドアノブ２２の一部が大便器１の中心線Ｂに対して浴槽６側に設けられている。したがって、浴槽６と大便器１との間に進入した車いす利用者は、手を大きく伸ばしたりすることで身体の重心を大きく動かすことなく、また、車いすの方向転換を行うことで大便器１を避けながら大便器１の中心線より浴槽６から離れる方向へ移動する必要がなく、必要に応じて第１縦壁面１０に向かう方向へ車いすをバックさせた後、上体を後方へ動かすだけで容易に第１ドアノブ２２を操作することができる。よって、車いす利用者は容易に開き戸８を開いて、車いすをバックさせることでユニットバスルーム２００から退室することができる。このように、身体の重心を大きく動かす必要がないことは、身体機能が低下している車いす利用者によって、非常にユニットバスルーム２００の使い勝手が良い。また、手を伸ばすことで重心が変化した際に、車いすが車いす利用者の意図せず移動してしまったり、車いすが転倒してしまったりすることを抑制できる。また、浴槽６と大便器１との間の幅は車いすが進入可能な大きさであり、開き戸８が閉じている状態において開き戸先端部２０は大便器１の正面に配置されたため、ユニットバスルーム２００が狭いユニットバスルームであった場合でも、開き戸８は車いすが通過可能な幅を確保できる。なお、図５に示すように、第１ドアノブ２２は、一部だけでも大便器１の中心線Ｂに対して浴槽６側に設けられていれば、この効果を奏する。
【００２９】
図７に示すように、車いす利用者が居室空間１０４からホテルルーム１００の入室ドア１０１へ向かう際に、開き戸８が開いていた場合には、この開き戸８が廊下１０６を通行する上での妨げとなっていた。
しかし、図８に示すように、開き戸８は、車いすが廊下１０６を通過可能となるように、廊下１０６側へ向かって開くことができるため、車いす利用者が居室空間１０４からホテルルーム１００の入室ドア１０１へ向かう際に、開き戸８が開いていた場合にも、車いす利用者は開き戸８を開く動作、即ち開き戸８を押す動作によって、車いすを通過可能とすることができ、容易に入室ドア１０１へ向かうことができる。なお、車いす利用者が開き戸８を開くためには、軸部１８とユニットバスルーム２００に形成された開き戸８を収納するドア枠（図示せず）との間に発生している静止摩擦力、即ち開き戸がその場に留まろうとする力より強い力で開き戸８を押す必要がある。
【００３０】
また、軸部１８と入口壁面１０５との間は、開き戸８と入口壁面１０５とが当接することがないように離れている。よって、入口壁面１０５が開き戸８の開く角度を制限することがなく、容易に車いすを通過可能とすることができる。
さらに、浴槽６は、軸部１８より入口壁面１０５から近い位置に配置されているため、ホテルルーム１００がビジネスホテルの一室のような狭いホテルルームであった場合でも、車いすが通過するためのユニットバスルーム２００の入口の幅を有効に取りつつ、浴槽６を配置させるための空間を有効に利用しながら軸部１８と入口壁面１０５との間の距離を取ることができる。
【００３１】
図９は、本発明の他の実施形態に係るユニットバスルームを備えたホテルルームを示す模式的平面図である。
図９を用いて、本発明の他の実施形態におけるユニットバスルーム２００を備えたホテルルーム１００について説明する。
【００３２】
図９に示すように、開き戸８はストッパー部（開き角度規制手段）２６をさらに有しており、このストッパー部２６が軸部１８と当接することによって、開き戸８の最大開き角度を一定角度以下に規制している。
このストッパー部２６は例えば着脱自在であり、使用者がストッパー部２６を取り除くことで、車いすが通過可能となるようにストッパー部２６による開き戸８の開き角度の規制を解除可能である。なお、例えば、ストッパー部２６は開き戸８の下方と当接することで開き角度の規制しており、このストッパー部２６はストッパー部操作用掴み部２６ａを下方に延出するように有しており、ストッパー部操作用掴み部２６ａを居室空間１０４側又はユニットバスルーム２００側から操作することによって、ストッパー部２６より居室空間１０４側又はユニットバスルーム２００側にいる車いす利用者によって、ストッパー部２６による開き戸８の開き角度の規制を解除可能である。
このことより、車いす利用者がユニットバスルーム２００を利用する際に、開き戸８を第３者が廊下を通りすぎるときにおいてユニットバスルーム２００の入口前を通る際の通行の妨げとなる所定の位置に配置することができるため、より確実に、ユニットバスルーム２００内において車いす利用者が浴槽６や大便器１を利用している姿を見られることで車いす利用者が非常に恥ずかしい思いをしてしまう可能性を抑制できる。
【００３３】
以上のことより、本発明の一実施形態によれば、開き戸８の幅、入室ドア１０１の幅、廊下１０６の幅は、車いすが通過可能な大きさであるため、車いす利用者が車いすに乗った状態でホテルルーム１００及びユニットバスルーム２００に入室可能であり、且つ、開き戸８が閉じている状態において、開き戸８の軸部１８は、開き戸先端部２０よりホテルルーム１００の入室ドア１０１に近い位置に配置されたことで、開き戸８が開いた際には、開き戸８が入口壁面１０５へ近づくように回動するため、車いす利用者がユニットバスルーム２００を利用中であって開き戸８が開いてしまっている場合にホテルのルームサービスや清掃員などの第３者Ａがホテルルーム１００に入室した際にも、廊下１０６を通りすぎるときには、ユニットバスルーム２００の入口前を通る前に、通行の妨げとなっている開き戸８を閉める作業が必要になる。したがって、第３者Ａは、自然と開き戸を閉めてからユニットバスルーム２００の入口前を通ることとなるため、ユニットバスルーム２００内において車いす利用者が浴槽６や大便器１を利用している姿を見られることがない。よって、ユニットバスルーム２００内において車いす利用者が浴槽６や大便器１を利用している姿を見られることで車いす利用者が非常に恥ずかしい思いをしてしまう可能性を抑制できる。
【００３４】
また、ユニットバスルーム２００は、開き戸８が開く角度を所定量に規制可能なストッパー部２６を有するため、車いす利用者がユニットバスルーム２００を利用する際に、開き戸８を第３者が廊下を通りすぎるときにおいてユニットバスルーム２００の入口前を通る際の通行の妨げとなる所定の位置に配置することができるため、より確実に、ユニットバスルーム２００内において車いす利用者が浴槽６や大便器１を利用している姿を見られることで車いす利用者が非常に恥ずかしい思いをしてしまう可能性を抑制できる。
【００３５】
また、車いす利用者が居室空間１０４からホテルルーム１００の入室ドア１０１へ向かう際に、開き戸８が開いていた場合には、車いす利用者は開き戸８を閉めるために、開き戸８を引く動作を行わなければならず、且つ、自分自身が開き戸８にぶつからないように、開き戸８を引きながら後退する必要もあったが、本発明の一実施形態によれば、開き戸８は、車いすが廊下１０６を通過可能となるように、廊下１０６側へ向かって開くことができるため、車いす利用者が居室空間１０４からホテルルーム１００の入室ドア１０１へ向かう際に、開き戸８が開いていた場合にも、車いす利用者は開き戸８を開く動作、即ち開き戸８を押す動作によって、車いすを通過可能とすることができ、容易にホテルルーム１００の入室ドア１０１へ向かうことができる。
また、軸部１８と入口壁面１０５との間は、開き戸８と入口壁面１０５とが当接することがないように離れているため、入口壁面１０５が開き戸８の開く角度を制限することがなく、さらに容易に車いすを通過可能とすることができ、且つ、浴槽６は、軸部１８より入口壁面１０５に近い位置に配置されているため、ホテルルーム１００が狭いホテルルームであった場合でも、車いすが通過するためのユニットバスルーム２００の入口の幅を有効に取りつつ、浴槽６を配置させるための空間を有効に利用しながら軸部１８と入口壁面１０５との間の距離を取ることができる。
【００３６】
さらに、本発明の一実施形態によれば、浴槽６と大便器１との間の幅は車いすが進入可能な大きさであり、開き戸８が閉じている状態において、開き戸先端部２０は、大便器１の正面又は大便器１の正面より浴槽６側に配置され、開き戸８の少なくとも一部は、浴槽６と大便器１との間の空間と対向しているため、狭いユニットバスルーム２００であった場合でも、車いす利用者は開き戸８が配置されたユニットバスルーム２００の入口から容易に浴槽６と大便器１との間にアプローチすることができ、その後、車いすから浴槽６又は大便器１に移動することができる。よって、狭いユニットバスルーム２００であった場合でも、容易に浴槽６と大便器１との間にアプローチすることができることで、容易に浴槽１又は大便器６の両方に移動可能とすることができる。
また、開き戸８は開き戸８を開閉させるための第１ドアノブ２２を有しているため、第１ドアノブ２２も大便器１の正面又は大便器１の正面より浴槽６側に配置されることとなり、浴槽６と大便器１との間に進入した車いす利用者は、開き戸８が閉じられた際にも、第１ドアノブ２２を操作することによって、開き戸８を開閉させることができる。
【００３７】
さらに、本発明の一実施形態によれば、車いす利用者が浴槽６と大便器１との間に進入している際に、ホテルのルームサービスや清掃員などの第３者Ａがホテルルーム１００に入室し、開き戸８を閉めてしまった場合にも、開き戸８においてユニットバスルーム２００側に設けられた、開き戸８を開閉させるための第１ドアノブ２２の少なくとも一部分は、大便器１の中心線に対して浴槽６側に設けられているため、浴槽６と大便器１との間に進入した車いす利用者は、手を大きく伸ばしたりすることで身体の重心を大きく動かすことなく、ユニットバスルーム２００と廊下１０６とを隔てる壁面、即ち第１縦壁面１０に向かう方向へ車いすをバックさせた後、上体を動かすだけで容易に第１ドアノブ２２を操作することができ、開き戸８を開いてユニットバスルーム２００から退出することができる。このように、身体の重心を大きく動かす必要がないことは、身体機能が低下している車いす利用者によって、非常にユニットバスルーム２００の使い勝手が良く、大きな効果であるといえる。
【００３８】
以上、本発明の一実施形態について説明した。しかし、本発明はこれらの記述に限定されるものではない。
【００３９】
本発明の一実施形態において、操作部を第１ドアノブ２２としたが、本発明はそれに限らず、例えばレバーハンドルであったり、回転動作などが必要ない非回転式の取手であっても良い。
【００４０】
本発明の一実施形態において、入室ドア１０１はホテルルーム１００に対して内開きに開閉する開き戸であったが、その場合、より好ましくは、開閉した開き戸８と開閉した入室ドア１０１が当接しないように、軸部１８と入口壁面１０５とを離して設置することが良い。このことより、車いす利用者が居室空間１０４からホテルルーム１００の入室ドア１０１へ向かう際に、車いす利用者は開き戸８を開く動作、即ち開き戸８を押す動作によって、よりスムーズに移動することができる。
【００４１】
本発明の他の実施形態において、ストッパー部２６は例えば着脱自在であり、使用者がストッパー部２６を取り除くことで、車いすが通過可能となるようにストッパー部２６による開き戸８の開き角度の規制を解除可能であるものであったが、本発明はそれに限らず、ストッパー部２６は、例えば戸当たりであっても良い。ストッパー部２６が戸当たりであった場合は、使用者は例えばドライバーなど適宜道具を用いることによって、戸当たりを開き戸８もしくは開き戸８近傍の天井や第１壁面１０から取り外し、開き戸８の開き角度の規制を解除するものであっても良い。また、ストッパー部２６は、ストッパー部２６より居室空間１０４側又はユニットバスルーム２００側にいる車いす利用者によって着脱されるものであったが、ストッパー部２６を開き戸８の軸部１８やユニットバスルーム２００入口に設けられた開き戸８を収納するドア枠（図示せず）に取り付けることによって、ストッパー部２６より居室空間１０４側やユニットバスルーム２００側にいる第３者Ａによって着脱できるものであっても良い。また、ストッパー部２６より入室ドア１０１側にいる第３者Ａによって着脱できるものであっても良い。また、ストッパー部２６を取り除くことで開き戸８の開き角度の規制を解除するものに限らず、例えばストッパー部２６を押圧したりドライバーなど適宜道具を用いることによって、ストッパー部２６を取り除かなくとも、開き戸８の開き角度の規制を解除できる構成であっても良い。また、本発明の一実施形態で述べた通り、ストッパー部２６がなくとも、常に開き戸８の開き角度の規制がされていないものも本発明に含まれる。その場合には、車いす利用者がユニットバスルーム２００を利用する際に、開き戸８を、車いす利用者の開き動作の力加減によって、上手く第三者Ａが廊下１０６を通過する際の通過の妨げとなる位置に配置させれば、本発明と同様の効果が得られる。
【００４２】
前述の実施の形態に関して、当業者が適宜設計変更を加えたものも、本発明の特徴を備えている限り、本発明の範囲に包含される。例えば、ホテルルーム１００やユニットバスルーム２００が備える各要素の形状、寸法、材質、配置などや、ホテルルーム１００やユニットバスルーム２００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４３】
１ 大便器
２ 紙巻き器
４ 洗面器
６ 浴槽
８ 開き戸
１０ 第１縦壁面
１２ 第２縦壁面
１４ 第３縦壁面
１６ 第４縦壁面
１８ 軸部
２０ 開き戸先端部
２２ 第１ドアノブ（操作部）
２４ 第２ドアノブ（操作部）
２６ ストッパー部（開き角度規制手段）
２６ａ ストッパー部操作用掴み部
１００ ホテルルーム
１０１ 入室ドア
１０２ ベット
１０４ 居室空間
１０５ 入口壁面
１０６ 廊下
２００ ユニットバスルーム
【図１】
2016151097.tif 000003
【図２】
2016151097.tif 000004
【図３】
2016151097.tif 000005
【図４】
2016151097.tif 000006
【図５】
2016151097.tif 000007
【図６】
2016151097.tif 000008
【図７】
2016151097.tif 000009
【図８】
2016151097.tif 000010
【図９】
2016151097.tif 000011
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
浴槽と、大便器と、使用者が入室するための開き戸と、を有するユニットバスルームを備えたホテルルームであって、
前記ユニットバスルームは、車いすが進入可能であって、使用者が前記ホテルルームに入室するための入室ドアとベット等が設置される居室空間とを繋ぐ廊下の側方に設置されており、
前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、
前記開き戸の幅、前記入室ドアの幅、前記廊下の幅は、車いすが通過可能な大きさであり、
前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動することを特徴とするユニットバスルームを備えたホテルルーム。
【請求項２】
前記開き戸が開く角度を所定量に規制可能な開き角度規制手段をさらに有することを特徴とする請求項１に記載のユニットバスルームを備えたホテルルーム。
【請求項３】
前記開き戸は、前記開き戸が前記廊下を遮っている際に、車いすが前記居室から前記入室ドアへ向かって前記廊下を通過可能となるように、さらに開くことができ、
前記軸部と前記入室ドアが設置された壁面との間は、前記開き戸が開いた際にも前記開き戸と前記入室ドアが設置された壁面とが当接することがないように離れており、
前記浴槽は、前記軸部より前記入室ドアが設置された壁面に近い位置に配置されたことを特徴とする請求項１に記載のユニットバスルームを備えたホテルルーム。
【請求項４】
前記大便器は、前記ユニットバスルームと前記廊下とを隔てる壁面と向かい合うように、前記浴槽より前記入室ドアから離れた位置に配置され、
前記浴槽と前記大便器との間の幅は、車いすが進入可能な大きさであり、
前記開き戸は、前記開き戸を開閉させるための操作部を有しており、
前記開き戸が閉じている状態において、前記開き戸先端部は、前記大便器の正面又は前記大便器の正面より前記浴槽側に配置され、前記開き戸の少なくとも一部は、前記浴槽と前記大便器との間の空間と対向していることを特徴とする請求項１乃至３の何れか１つに記載のユニットバスルームを備えたホテルルーム。
【請求項５】
前記ユニットバスルーム側に設けられた前記操作部の少なくとも一部分は、前記大便器の中心線に対して浴槽側に設けられたことを特徴とする請求項４に記載のユニットバスルームを備えたホテルルーム。
【手続補正２】
【補正対象書類名】明細書
【補正対象項目名】０００８
【補正方法】変更
【補正の内容】
【０００８】
第１の発明は、浴槽と、大便器と、使用者が入室するための開き戸と、を有するユニットバスルームを備えたホテルルームであって、前記ユニットバスルームは、車いすが進入可能であって、使用者が前記ホテルルームに入室するための入室ドアとベット等が設置される居室空間とを繋ぐ廊下の側方に設置されており、前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、前記開き戸の幅、前記入室ドアの幅、前記廊下の幅は、車いすが通過可能な大きさであり、前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動することを特徴とするユニットバスルームを備えたホテルルームである。
このユニットバスルームを備えたホテルルームによれば、開き戸の幅、入室ドアの幅、廊下の幅は、車いすが通過可能な大きさであるため、車いす利用者が車いすに乗った状態でホテルルーム及びユニットバスルームに入室可能であり、且つ、開き戸が閉じている状態において、開き戸の軸部は、開き戸先端部よりホテルルームの入室ドアに近い位置に配置されたことで、開き戸が開いた際には、開き戸が入室ドアが設置された壁面へ近づくように回動するため、車いす利用者がユニットバスルームを利用中であって開き戸が開いてしまっている場合にホテルのルームサービスや清掃員がホテルルームに入室した際にも、廊下を通りすぎるときには、ユニットバスルームの入口前を通る前に、通行の妨げとなっている開き戸を閉める作業が必要になる。したがって、ルームサービスや清掃員は、自然と開き戸を閉めてからユニットバスルームの入口前を通ることとなるため、ユニットバスルーム内において車いす利用者が浴槽や大便器等を利用している姿を見られることがない。よって、ユニットバスルーム内において車いす利用者が浴槽や大便器等を利用している姿を見られることで車いす利用者が非常に恥ずかしい思いをしてしまう可能性を抑制できる。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
浴槽と、大便器と、使用者が入室するための開き戸と、を有するユニットバスルームを備えたホテルルームであって、
前記ユニットバスルームは、車いすが進入可能であって、使用者が前記ホテルルームに入室するための入室ドアとベット等が設置される居室空間とを繋ぐ廊下の側方に設置されており、
前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、
前記開き戸の幅、前記入室ドアの幅、前記廊下の幅は、車いすが通過可能な大きさであり、
前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動し、
前記開き戸が開く角度を略９０度に規制可能な開き角度規制手段をさらに有することを特徴とするユニットバスルームを備えたホテルルーム。
【請求項２】
前記大便器は、前記ユニットバスルームと前記廊下とを隔てる壁面と向かい合うように、前記浴槽より前記入室ドアから離れた位置に配置され、
前記浴槽と前記大便器との間の幅は、車いすが進入可能な大きさであり、
前記開き戸は、前記開き戸を開閉させるための操作部を有しており、
前記開き戸が閉じている状態において、前記開き戸先端部は、前記大便器の正面又は前記大便器の正面より前記浴槽側に配置され、前記開き戸の少なくとも一部は、前記浴槽と前記大便器との間の空間と対向していることを特徴とする請求項１に記載のユニットバスルームを備えたホテルルーム。
【請求項３】
前記ユニットバスルーム側に設けられた前記操作部の少なくとも一部分は、前記大便器の中心線に対して浴槽側に設けられたことを特徴とする請求項２に記載のユニットバスルームを備えたホテルルーム。
【手続補正２】
【補正対象書類名】明細書
【補正対象項目名】０００８
【補正方法】変更
【補正の内容】
【０００８】
第１の発明は、浴槽と、大便器と、使用者が入室するための開き戸と、を有するユニットバスルームを備えたホテルルームであって、前記ユニットバスルームは、車いすが進入可能であって、使用者が前記ホテルルームに入室するための入室ドアとベット等が設置される居室空間とを繋ぐ廊下の側方に設置されており、前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、前記開き戸の幅、前記入室ドアの幅、前記廊下の幅は、車いすが通過可能な大きさであり、前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動し、前記開き戸が開く角度を略９０度に規制可能な開き角度規制手段をさらに有することを特徴とするユニットバスルームを備えたホテルルームである。
このユニットバスルームを備えたホテルルームによれば、開き戸の幅、入室ドアの幅、廊下の幅は、車いすが通過可能な大きさであるため、車いす利用者が車いすに乗った状態でホテルルーム及びユニットバスルームに入室可能であり、且つ、開き戸が閉じている状態において、開き戸の軸部は、開き戸先端部よりホテルルームの入室ドアに近い位置に配置されたことで、開き戸が開いた際には、開き戸が入室ドアが設置された壁面へ近づくように回動するため、車いす利用者がユニットバスルームを利用中であって開き戸が開いてしまっている場合にホテルのルームサービスや清掃員がホテルルームに入室した際にも、廊下を通りすぎるときには、ユニットバスルームの入口前を通る前に、通行の妨げとなっている開き戸を閉める作業が必要になる。したがって、ルームサービスや清掃員は、自然と開き戸を閉めてからユニットバスルームの入口前を通ることとなるため、ユニットバスルーム内において車いす利用者が浴槽や大便器等を利用している姿を見られることがない。よって、ユニットバスルーム内において車いす利用者が浴槽や大便器等を利用している姿を見られることで車いす利用者が非常に恥ずかしい思いをしてしまう可能性を抑制できる。
また、このユニットバスルームを備えたホテルルームによれば、ユニットバスルームは、開き戸が開く角度を略９０度に規制可能な開き角度規制手段を有するため、車いす利用者がユニットバスルームを利用する際に、開き戸をホテルのルームサービスや清掃員が廊下を通りすぎるときにおいてユニットバスルームの入口前を通る際の通行の妨げとなる所定の位置に配置することができるため、より確実に、ユニットバスルーム内において車いす利用者が浴槽や大便器等を利用している姿を見られることで車いす利用者が非常に恥ずかしい思いをしてしまう可能性を抑制できる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
第２の発明は、第１の発明において、前記大便器は、前記ユニットバスルームと前記廊下とを隔てる壁面と向かい合うように、前記浴槽より前記入室ドアから離れた位置に配置され、前記浴槽と前記大便器との間の幅は、車いすが進入可能な大きさであり、前記開き戸は、前記開き戸を開閉させるための操作部を有しており、前記開き戸が閉じている状態において、前記開き戸先端部は、前記大便器の正面又は前記大便器の正面より前記浴槽側に配置され、前記開き戸の少なくとも一部は、前記浴槽と前記大便器との間の空間と対向していることを特徴とするユニットバスルームを備えたホテルルームである。
このユニットバスルームを備えたホテルルームによれば、浴槽と大便器との間の幅は車いすが進入可能な大きさであり、開き戸が閉じている状態において、開き戸先端部は、大便器の正面又は大便器の正面より浴槽側に配置され、開き戸の少なくとも一部は、浴槽と大便器との間の空間と対向しているため、狭いユニットバスルームであった場合でも、車いす利用者は開き戸が配置されたユニットバスルームの入口から容易に浴槽と大便器との間にアプローチすることができ、その後、車いすから浴槽又は大便器に移動することができる。よって、狭いユニットバスルームであった場合でも、容易に浴槽と大便器との間にアプローチすることができることで、容易に浴槽又は大便器の両方に移動可能とすることができる。
また、開き戸は開き戸を開閉させるための操作部を有しているため、操作部も大便器の正面又は大便器の正面より浴槽側に配置されることとなり、浴槽と大便器との間に進入した車いす利用者は、開き戸が閉じられた際にも、操作部を操作することによって、開き戸を開閉させることができる。
【手続補正６】
【補正対象書類名】明細書
【補正対象項目名】００１２
【補正方法】変更
【補正の内容】
【００１２】
第３の発明は、第２の発明において、前記開き戸においてユニットバスルーム側に設けられた、前記開き戸を開閉させるための操作部の少なくとも一部分は、前記大便器の中心線に対して浴槽側に設けられたことを特徴とするユニットバスルームを備えたホテルルームである。
このユニットバスルームを備えたホテルルームによれば、車いす利用者が浴槽と大便器との間に進入している際に、ホテルのルームサービスや清掃員がホテルルームに入室し、開き戸を閉めてしまった場合にも、開き戸においてユニットバスルーム側に設けられた、開き戸を開閉させるための操作部の少なくとも一部分は、大便器の中心線に対して浴槽側に設けられているため、浴槽と大便器との間に進入した車いす利用者は、遠くに設けられた操作部を操作するために手を大きく伸ばしたりすることで身体の重心を大きく動かす必要がなく、必要に応じてユニットバスルームと廊下とを隔てる壁面に向かう方向へバックした後、上体を動かすだけで容易に操作部を操作することができ、開き戸を開いてユニットバスルームから退出することができる。このように、身体の重心を大きく動かす必要がないことは、身体機能が低下している車いす利用者によって、非常にユニットバスルームの使い勝手が良く、また、手を伸ばすことで重心が変化した際に、車いす利用者が意図せずに車いすが移動してしまったり、車いすが転倒してしまったりすることを抑制できる。よって、車いす利用者によって、大きな効果であるといえる。
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
浴槽と、大便器と、使用者が入室するための開き戸と、を有するユニットバスルームを備えたホテルルームであって、
前記ユニットバスルームは、車いすが進入可能であって、使用者が前記ホテルルームに入室するための入室ドアとベット等が設置される居室空間とを繋ぐ廊下の側方に設置されており、
前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、
前記開き戸の幅、前記入室ドアの幅、前記廊下の幅は、車いすが通過可能な大きさであり、
前記廊下の幅は、前記開き戸が約９０度開いた状態において前記入室ドアから入室した人が通過できないように、前記開き戸が約９０度開いた状態における前記開き戸先端部と前記開き戸に向かい合う廊下の壁面との間の距離が前記開き戸の幅より短くなるような大きさであり、
前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動し、
前記開き戸が開く角度を約９０度に規制可能な開き角度規制手段をさらに有することを特徴とするユニットバスルームを備えたホテルルーム。
【請求項２】
前記大便器は、前記ユニットバスルームと前記廊下とを隔てる壁面と向かい合うように、前記浴槽より前記入室ドアから離れた位置に配置され、
前記浴槽と前記大便器との間の幅は、車いすが進入可能な大きさであり、
前記開き戸は、前記開き戸を開閉させるための操作部を有しており、
前記開き戸が閉じている状態において、前記開き戸先端部は、前記大便器の正面又は前記大便器の正面より前記浴槽側に配置され、前記開き戸の少なくとも一部は、前記浴槽と前記大便器との間の空間と対向していることを特徴とする請求項１に記載のユニットバスルームを備えたホテルルーム。
【請求項３】
前記ユニットバスルーム側に設けられた前記操作部の少なくとも一部分は、前記大便器の中心線に対して浴槽側に設けられたことを特徴とする請求項２に記載のユニットバスルームを備えたホテルルーム。
【手続補正２】
【補正対象書類名】明細書
【補正対象項目名】０００８
【補正方法】変更
【補正の内容】
【０００８】
第１の発明は、浴槽と、大便器と、使用者が入室するための開き戸と、を有するユニットバスルームを備えたホテルルームであって、前記ユニットバスルームは、車いすが進入可能であって、使用者が前記ホテルルームに入室するための入室ドアとベット等が設置される居室空間とを繋ぐ廊下の側方に設置されており、前記開き戸は、前記ユニットバスルームと前記廊下とを隔てる壁面に、該廊下側へ向かって開閉可能に設置され、前記開き戸の一端側に設けられた前記開き戸が開閉する際の軸となる軸部及び前記開き戸の他端側に設けられた開き戸先端部を有しており、前記開き戸の幅、前記入室ドアの幅、前記廊下の幅は、車いすが通過可能な大きさであり、前記廊下の幅は、前記開き戸が約９０度開いた状態において前記入室ドアから入室した人が通過できないように、前記開き戸が約９０度開いた状態における前記開き戸先端部と前記開き戸に向かい合う廊下の壁面との間の距離が前記開き戸の幅より短くなるような大きさであり、前記開き戸が閉じている状態において、前記軸部は、前記開き戸先端部より前記入室ドアに近い位置に配置されたことで、前記開き戸が開く際には、前記開き戸が前記入室ドアが設置された壁面へ近づくように回動し、前記開き戸が開く角度を約９０度に規制可能な開き角度規制手段をさらに有することを特徴とするユニットバスルームを備えたホテルルームである。
このユニットバスルームを備えたホテルルームによれば、開き戸の幅、入室ドアの幅、廊下の幅は、車いすが通過可能な大きさであるため、車いす利用者が車いすに乗った状態でホテルルーム及びユニットバスルームに入室可能であり、且つ、前記廊下の幅は、前記開き戸が約９０度開いた状態において前記入室ドアから入室した人が通過できないように、前記開き戸が約９０度開いた状態における前記開き戸先端部と前記開き戸に向かい合う廊下の壁面との間の距離が前記開き戸の幅より短くなるような大きさであり、開き戸が閉じている状態において、開き戸の軸部は、開き戸先端部よりホテルルームの入室ドアに近い位置に配置されたことで、開き戸が開いた際には、開き戸が入室ドアが設置された壁面へ近づくように回動するため、車いす利用者がユニットバスルームを利用中であって開き戸が開いてしまっている場合にホテルのルームサービスや清掃員がホテルルームに入室した際にも、廊下を通りすぎるときには、ユニットバスルームの入口前を通る前に、通行の妨げとなっている開き戸を閉める作業が必要になる。したがって、ルームサービスや清掃員は、自然と開き戸を閉めてからユニットバスルームの入口前を通ることとなるため、ユニットバスルーム内において車いす利用者が浴槽や大便器等を利用している姿を見られることがない。よって、ユニットバスルーム内において車いす利用者が浴槽や大便器等を利用している姿を見られることで車いす利用者が非常に恥ずかしい思いをしてしまう可能性を抑制できる。